【手続補正書】
【提出日】平成31年3月7日(2019.3.7)
【手続補正１】
【補正対象書類名】特許請求の範囲
【補正対象項目名】全文
【補正方法】変更
【補正の内容】
【特許請求の範囲】
【請求項１】
第１の搬送ローラ対と、
前記第１の搬送ローラ対よりもシートの搬送方向下流に設けられた第２の搬送ローラ対と、を有し、
前記第１の搬送ローラ対により搬送されるシートの先端が、前記第２の搬送ローラ対に突き当てられることでシートにループが形成されるシート搬送装置であって、
前記シートに形成されたループを解消せずに前記第１の搬送ローラ対と前記第２の搬送ローラ対によってシートが搬送される第１の制御モード、又は、前記シートに形成されたループを解消させて前記第１の搬送ローラ対および前記第２の搬送ローラ対にニップされたシートが搬送される第２の制御モードを、実行する制御手段を有することを特徴とするシート搬送装置。
【請求項２】
前記制御手段は、
前記第１の制御モードにおいて、前記シートにループが形成された後に前記第２の搬送ローラ対の回転を開始し、前記シートにループが形成された後に前記シートのループが解消されないように前記第１の搬送ローラ対の回転を開始し、
前記第２の制御モードにおいて、前記シートにループが形成された後に前記第２の搬送ローラ対の回転を開始し、前記第２の搬送ローラ対の回転によって前記シートのループが解消された後に前記第１の搬送ローラ対の回転を開始することを特徴とする請求項１に記載のシート搬送装置。
【請求項３】
シートの種類に関する情報を取得する取得部を備え、
前記制御手段は、前記取得部が取得したシートの種類に関する情報に応じて前記第１の制御モード又は前記第２の制御モードを実行することを特徴とする請求項１または２に記載のシート搬送装置。
【請求項４】
前記制御手段は、第１の剛度を有するシートを搬送する場合に、前記第１の制御モードを実行し、前記第１の剛度よりも低い第２の剛度を有するシートを搬送する場合に、前記第２の制御モードを実行することを特徴とする請求項３に記載のシート搬送装置。
【請求項５】
前記制御手段は、第１の坪量を有するシートを搬送する場合に、前記第１の制御モードを実行し、前記第１の坪量より小さい第２の坪量を有するシートを搬送する場合に、前記第２の制御モードを実行することを特徴とする請求項３に記載のシート搬送装置。
【請求項６】
前記制御手段は、第１の厚さを有するシートを搬送する場合に、前記第１の制御モードを実行し、前記第１の厚さよりも薄い第２の厚さを有するシートを搬送する場合に、前記第２の制御モードを実行することを特徴とする請求項３に記載のシート搬送装置。
【請求項７】
前記制御手段は、第１の搬送速度でシートを搬送する場合に、前記第１の制御モードを実行し、前記第１の搬送速度より速い第２の搬送速度でシートを搬送する場合に、前記第２の制御モードを実行することを特徴とする請求項１乃至６のいずれか１項に記載のシート搬送装置。
【請求項８】
前記第１の搬送ローラ対のシートの搬送方向と直交する幅方向のローラ幅は、前記第２の搬送ローラ対の前記幅方向のローラ幅より小さく、かつ、前記第２の搬送ローラ対よりもシートの搬送方向上流側に配設された他の搬送ローラ対の内で最も小さいローラ幅であることを特徴とする請求項１乃至７のいずれか１項に記載のシート搬送装置。
【請求項９】
前記第１の搬送ローラ対のニップ部における加圧力は、前記第２の搬送ローラ対のニップ部における加圧力より小さく、かつ、前記第２の搬送ローラ対よりもシートの搬送方向上流側に配設された他の搬送ローラ対の内で最も大きい加圧力であることを特徴とする請求項１乃至８のいずれか１項に記載のシート搬送装置。
【請求項１０】
前記第１の制御モードにおいては、前記シートにループが形成された後、前記第１の搬送ローラ対の回転と前記第２の搬送ローラ対の回転とを同時に開始させることを特徴とする請求項１乃至９のいずれか１項に記載のシート搬送装置。
【請求項１１】
前記第２の搬送ローラ対によって搬送されるシートに画像を転写する転写部を有し、
前記制御手段は、前記第２の制御モードにおいて、前記第１の搬送ローラ対によって搬送されるシートの先端が前記第２の搬送ローラ対に突き当てられた後、前記第２の搬送ローラ対によって搬送されるシートの先端が前記転写部に到達する前であって前記第２の搬送ローラ対が回転を開始するタイミングよりも遅いタイミングで前記第１の搬送ローラ対の回転を開始させることを特徴とする請求項１乃至１０のいずれか１項に記載のシート搬送装置。
【請求項１２】
第１の搬送ローラ対と、
前記第１の搬送ローラ対よりもシートの搬送方向下流に設けられた第２の搬送ローラ対を含んだ搬送ユニットと、を有し、
前記第１の搬送ローラ対により搬送されるシートの先端が、前記搬送ユニットに突き当てられることでシートにループが形成されるシート搬送装置であって、
第１の制御モードまたは第２の制御モードを実行する制御手段を有し、
前記第２の制御モードでは、前記シートにループが形成された後の所定時間内において前記第２の搬送ローラ対がシートを搬送する量が前記第１の搬送ローラ対がシートを搬送する量よりも多く、
前記シートにループが形成された後の所定時間内において前記第２の搬送ローラ対がシートを送る量と前記第１の搬送ローラ対がシートを送る量との差は、前記第２の制御モードの場合よりも前記第１の制御モードの場合に少ないことを特徴とするシート搬送装置。
【請求項１３】
前記制御手段は、
前記第１の制御モードでは、前記シートにループが形成された後に前記シートのループが解消されないように前記第１の搬送ローラ対と前記第２の搬送ローラ対とでシートを搬送し、
前記第２の制御モードでは、前記シートのループが形成された後に前記第２の搬送ローラ対の回転を開始してから前記第１の搬送ローラ対の回転を開始するまでの時間が前記第１の制御モードよりも長いことを特徴とする請求項１２に記載のシート搬送装置。
【請求項１４】
シートの種類に関する情報を取得する取得部を備え、
前記制御手段は、前記取得部が取得したシートの種類に関する情報に応じて前記第１の制御モード又は前記第２の制御モードを実行することを特徴とする請求項１２または１３に記載のシート搬送装置。
【請求項１５】
前記制御手段は、第１の剛度を有するシートを搬送する場合に、前記第１の制御モードを実行し、前記第１の剛度よりも低い第２の剛度を有するシートを搬送する場合に、前記第２の制御モードを実行することを特徴とする請求項１４に記載のシート搬送装置。
【請求項１６】
前記制御手段は、第１の坪量を有するシートを搬送する場合に、前記第１の制御モードを実行し、前記第１の坪量より小さい第２の坪量を有するシートを搬送する場合に、前記第２の制御モードを実行することを特徴とする請求項１４に記載のシート搬送装置。
【請求項１７】
前記第１の制御モードにおいては、前記シートにループが形成されてから前記第１の搬送ローラ対と前記第２の搬送ローラ対とが等速でシートを搬送するまでの間に前記第２の搬送ローラ対がシートを送る量と前記第１の搬送ローラ対がシートを送る量との差は、ゼロであることを特徴とする請求項１２乃至１６のいずれか１項に記載のシート搬送装置。
【請求項１８】
前記制御手段は、
前記シートに形成されたループを解消せずに前記第１の搬送ローラ対と前記第２の搬送ローラ対によってシートが搬送される前記第１の制御モード、又は、
前記シートに形成されたループを解消させて前記第１の搬送ローラ対および前記第２の搬送ローラ対にニップされたシートが搬送される前記第２の制御モードを実行することを特徴とする請求項１２乃至請求項１７のいずれか１項に記載のシート搬送装置。
【請求項１９】
前記第１の搬送ローラ対のシートの搬送方向と直交する幅方向のローラ幅は、前記第２の搬送ローラ対の前記幅方向のローラ幅より小さく、かつ、前記第２の搬送ローラ対よりもシートの搬送方向上流側に配設された他の搬送ローラ対の内で最も小さいローラ幅であることを特徴とする請求項１２乃至１８のいずれか１項に記載のシート搬送装置。
【請求項２０】
前記第１の搬送ローラ対のニップ部における加圧力は、前記第２の搬送ローラ対のニップ部における加圧力より小さく、かつ、前記第２の搬送ローラ対よりもシートの搬送方向上流側に配設された他の搬送ローラ対の内で最も大きい加圧力であることを特徴とする請求項１２乃至１９のいずれか１項に記載のシート搬送装置。
【請求項２１】
前記第２の搬送ローラ対によって搬送されるシートに画像を転写する転写部を有し、
前記制御手段は、前記第２の制御モードにおいて、前記第１の搬送ローラ対によって搬送されるシートの先端がこのシートにループが形成されるように前記第２の搬送ローラ対に突き当てられた後、前記第２の搬送ローラ対によって搬送されるシートの先端が前記転写部に到達する前であって前記第２の搬送ローラ対が回転を開始するタイミングよりも遅いタイミングで前記第１の搬送ローラ対の回転を開始させることを特徴とする請求項１２乃至２０のいずれか１項に記載のシート搬送装置。
【請求項２２】
前記第１の搬送ローラ対によって搬送されるシートの先端が前記第２の搬送ローラ対に突き当てられることで、シートにループが形成されることを特徴とする請求項１２乃至２１のいずれか１項に記載のシート搬送装置。
【請求項２３】
前記第１の制御モードにおいては、前記シートにループが形成された後、前記第１の搬送ローラ対の回転と前記第２の搬送ローラ対の回転とを同時に開始させることを特徴とする請求項２２に記載のシート搬送装置。
【請求項２４】
前記シートにループが形成された後の前記所定時間は、前記第２の搬送ローラ対がシートの搬送を開始する第１時期から、第２時期までの時間であり、
前記第２時期では、前記第１の搬送ローラ対と前記第２の搬送ローラ対とが等速でシートを搬送していることを特徴とする請求項１２に記載のシート搬送装置。
【請求項２５】
前記第１の制御モードにおいては、前記シートにループが形成された後の前記所定時間内において前記第１の搬送ローラ対がシートを送る量と前記第２の搬送ローラ対がシートを送る量との差は、ゼロであることを特徴とする請求項１２に記載のシート搬送装置。
【請求項２６】
前記第２の制御モードにおいては、前記シートにループが形成されてから前記第１の搬送ローラ対と前記第２の搬送ローラ対とが等速でシートを搬送するまでの間に、前記第２の搬送ローラ対は前記第１の搬送ローラ対よりもシートを多く送ることを特徴とする請求項１２に記載のシート搬送装置。
【請求項２７】
請求項１乃至２６のいずれか１項に記載のシート搬送装置と、
前記シート搬送装置により搬送されてきたシートに画像を形成する画像形成部と、
を備えることを特徴とする画像形成装置。
【手続補正２】
【補正対象書類名】明細書
【補正対象項目名】０００６
【補正方法】変更
【補正の内容】
【０００６】
上記目的を達成するため、本発明は、第１の搬送ローラ対と、前記第１の搬送ローラ対よりもシートの搬送方向下流に設けられた第２の搬送ローラ対と、を有し、前記第１の搬送ローラ対により搬送されるシートの先端が、前記第２の搬送ローラ対に突き当てられることでシートにループが形成されるシート搬送装置であって、前記シートに形成されたループを解消せずに前記第１の搬送ローラ対と前記第２の搬送ローラ対によってシートが搬送される第１の制御モード、又は、前記シートに形成されたループを解消させて前記第１の搬送ローラ対および前記第２の搬送ローラ対にニップされたシートが搬送される第２の制御モードを、実行する制御手段を有することを特徴とする。